(57)【要約】【目的】  光ディスク等の記録媒体，その記録媒体に対する情報の記録を行う光ディスク装置等の情報記録装置の個体差及び環境条件の変化によらずに情報記録を安定して行えるようにする。【構成】  光ディスクに記録されている記録条件Ｗを読み出し（Ｓ１）、記録条件変更範囲と変更間隔を算出し（Ｓ２，Ｓ３）、ｉ＝０とし（Ｓ４）、記録条件Ｗで試し書きして再生し（Ｓ５，Ｓ６）、その再生信号をサンプリングし（Ｓ７）、そのサンプリング結果からΣδ２を算出して情報記録再生装置の記憶装置に記憶し（Ｓ８）、７条件の試し書きが終了していない場合（Ｓ９）、次の記録条件で試し書きして上記７条件の中でΣδ２が最小となった記録条件を選び（Ｓ１０）、その選択した記録条件の値を最適条件として設定する（Ｓ１１）。【選択図】        図１
2005011500.tif 000002
【特許請求の範囲】
【請求項１】
記録媒体に多値データｍ（ｍは０〜７の整数）を記録する際の最適記録条件を求める情報記録方法であって、前記記録媒体の試し書き領域に、記録パワーＰｗと消去パワーＰｅとの比を一定として、記録パワーＰｗ及び消去パワーＰｅとを逐次変化させてテストパタンを記録し、その再生結果において前記多値データｍに対して再生信号レベルが略線形となる記録パワーＰｗ及び消去パワーＰｅを最適記録パワー及び最適消去パワーとして決定することを特徴とする情報記録方法。
【請求項２】
記録媒体に多値データｍ（ｍは０〜７の整数）を記録する際の最適記録条件を求める情報記録方法であって、前記記録媒体の試し書き領域に、消去パワーＰｅと記録パワーＰｗとの比Ｐｅ／Ｐｗを逐次変化させてテストパタンを記録し、その再生結果において前記多値データｍに対して再生信号レベルが略線形となるＰｅ／Ｐｗ比を最適比として決定することを特徴とする情報記録方法。
【請求項３】
記録媒体に多値データｍ（ｍは０〜７の整数）を記録する際の最適記録条件を求める情報記録方法であって、前記記録媒体の試し書き領域に、多値データｍに対する冷却パルス幅Ｔｏｆｆ＿ｍを逐次変化させてテストパタンを記録し、その再生結果において前記多値データｍに対して再生信号レベルが略線形となる冷却パルス幅Ｔｏｆｆ＿ｍを最適冷却パルス幅として決定することを特徴とする情報記録方法。
【請求項４】
記録媒体に多値データｍ（ｍは０〜７の整数）を記録する際の最適記録条件を求める情報記録方法であって、前記記録媒体の試し書き領域に、多値データｍに対する記録パルス幅Ｔｏｎ＿ｍを逐次変化させてテストパタンを記録し、その再生結果において前記多値データｍに対して再生信号レベルが略線形となる記録パルス幅Ｔｏｎ＿ｍを最適記録パルス幅として決定することを特徴とする情報記録方法。
【請求項５】
記録媒体に多値データｍ（ｍは０〜７の整数）を記録する情報記録方法であって、前記記録媒体に記録線速度の変化に応じて記録クロック周期を変化させて記録線密度が一定になるように多値データｍを記録する際に、前記記録媒体の試し書き領域に、複数種類の記録線速度で記録パワーＰｗ及び消去パワーＰｅを変化させてテストパタンを記録し、その各記録線速度の再生結果において前記多値データｍに対して再生信号レベルが略線形となる記録パワーＰｗ及び消去パワーＰｅを記録線速度に応じた最適記録パワー及び最適消去パワーとして決定することを特徴とする情報記録方法。
【請求項６】
記録媒体に多値データｍ（ｍは０〜７の整数）を記録する情報記録方法であって、前記記録媒体に記録線速度の変化に応じて記録クロック周期を変化させて記録線密度が一定になるように多値データｍを記録する際に、記録線速度に応じて冷却パルス幅Ｔｏｆｆ＿ｍ又は記録パルス幅Ｔｏｎ＿ｍを一律に変化させてテストパタンを記録し、その各記録線速度の再生結果において前記多値データｍに対して再生信号レベルが略線形となる冷却パルス幅及び記録パルス幅を決定することを特徴とする情報記録方法。
【請求項７】
請求項５又は６記載の情報記録方法において、前記記録媒体の試し書き領域に対する試し書きの結果から記録パワーＰｗ，Ｐｅ／Ｐｗ比，記録パルス幅Ｔｏｎ＿ｍ，冷却パルス幅Ｔｏｆｆ＿ｍのいずれかの記録条件ｙと記録線速度ｖとの関係値ｙ＝ａｖ＋ｂ（ａ，ｂは定数値）を求め、前記記録線速度ｖに応じて前記記録条件ｙを前記関係値にしたがって変化させて記録することを特徴とする情報記録方法。
【請求項８】
請求項５又は６記載の情報記録方法において、前記記録媒体の試し書き領域に対する試し書きの結果から記録パワーＰｗ，Ｐｅ／Ｐｗ比，記録パルス幅Ｔｏｎ＿ｍ，冷却パルス幅Ｔｏｆｆ＿ｍのいずれかの記録条件ｙと記録線速度ｖとの関係値ｙ＝ａｖ２＋ｂｖ＋ｃ（ａ，ｂ，ｃは定数値）を求め、前記記録線速度ｖに応じて前記記録条件ｙを前記関係値にしたがって変化させて記録することを特徴とする情報記録方法。
【請求項９】
請求項１乃至８のいずれか一項に記載の情報記録方法において、前記記録媒体に多値データｍを記録するときにＭ（Ｍは３以上の整数）値記録の場合、テストパタンが前後対称な多値データパタンＭ２通りを含むことを特徴とする情報記録方法。
【請求項１０】
請求項１乃至６，９のいずれか一項に記載の情報記録方法において、前記記録媒体に多値データｍを記録するときにＭ値記録の場合での記録パワーＰｗ，Ｐｅ／Ｐｗ比，記録パルス幅Ｔｏｎ＿ｍ，冷却パルス幅Ｔｏｆｆ＿ｍの記録条件を、前記記録媒体の再生結果において（ｍ１＝１，２，…，Ｍ−２），Ｖｍ１′：サンプリングした多値データｍ１の再生信号レベル，Ｖ（ｍ１）＝ｍ１＊（ＶＭ−１′−Ｖ０′）／（Ｍ−１）＋Ｖ０：目標信号レベルのときに、数１のΣδ２が最小となる値に設定することを特徴とする情報記録方法。
【数１】
2005011500.tif 000012
【請求項１１】
記録媒体に多値データｍ（ｍは０〜７の整数）を記録する際の最適記録条件を求める情報記録方法であって、記録パワーＰｗと消去パワーＰｅとの比を一定として、前記記録パワーＰｗ及び前記消去パワーＰｅとを逐次変化させてテストパタンを記録し、その記録したテストパタンを再生し、その再生信号をサンプリングし、そのサンプリング結果に基づいて数１のΣδ２が最小となる記録パワーを最適記録パワーとして決定し、該最適記録パワーにおいて消去パワーＰｅを逐次変化させてテストパタンを記録し、その記録したテストパタンを再生し、その再生信号をサンプリングし、そのサンプリング結果に基づいて数１のΣδ２が最小になる消去パワーを最適消去パワーとして決定することを特徴とする情報記録方法。
【数１】
2005011500.tif 000013
【請求項１２】
記録媒体に多値データｍ（ｍは０〜７の整数）を記録する際の最適記録条件を求める情報記録方法であって、記録パワーＰｗと消去パワーＰｅとの比を一定として、前記記録パワーＰｗ及び前記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、該最適記録パワーにおいて消去パワーＰｅを逐次変化させてテストパタンを記録し、その記録したテストパタンを再生し、その再生信号をサンプリングし、そのサンプリング結果に基づいて数１のΣδ２が所望の値以下になる消去パワーを最適消去パワーとして決定することを特徴とする情報記録方法。
【数１】
2005011500.tif 000014
【請求項１３】
記録媒体に多値データｍ（ｍは０〜７の整数）を記録する際の最適記録条件を求める情報記録方法であって、記録パワーＰｗと消去パワーＰｅとの比を一定として、前記記録パワーＰｗ及び前記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、該最適記録パワーにおいてテストパタンを記録し、その記録したテストパタンを再生し、その再生信号をサンプリングし、そのサンプリング結果と目標値との誤差δｉ，ｊの絶対値が所望の値以下になるまで、前記多値データｍに対する冷却パルス幅Ｔｏｆｆ＿ｍを補正することによって冷却パルス幅を最適化することを特徴とする情報記録方法。
【数１】
2005011500.tif 000015
【請求項１４】
記録媒体に多値データｍ（ｍは０〜７の整数）を記録する際の最適記録条件を求める情報記録方法であって、記録パワーＰｗと消去パワーＰｅとの比を一定として、前記記録パワーＰｗ及び前記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、該最適記録パワーにおいてテストパタンを記録し、その記録したテストパタンを再生し、その再生信号をサンプリングし、そのサンプリング結果と目標値との誤差δｉ，ｊの絶対値が所望の値以下になるまで、前記多値データｍに対する記録パルス幅Ｔｏｎ＿ｍを補正することによって記録パルス幅を最適化することを特徴とする情報記録方法。
【数１】
2005011500.tif 000016
【請求項１５】
記録媒体に多値データｍ（ｍは０〜７の整数）を記録する際の最適記録条件を求める情報記録方法であって、記録パワーＰｗと消去パワーＰｅとの比を一定として、前記記録パワーＰｗ及び前記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、該最適記録パワーにおいて消去パワーＰｅを逐次変化させてテストパタンを記録し、その記録したテストパタンを再生し、その再生信号をサンプリングし、そのサンプリング結果に基づいて数１のΣδ２が最小になる消去パワーを最適消去パワーとして決定し、前記最適記録パワー及び前記最適消去パワーにおいてテストパタンを記録し、その記録したテストパタンを再生し、その再生信号をサンプリングし、そのサンプリング結果と目標値との誤差δｉ，ｊの絶対値が所望の値以下になるまで、前記多値データｍに対する冷却パルス幅Ｔｏｆｆ＿ｍを補正することによって冷却パルス幅を最適化することを特徴とする情報記録方法。
【数１】
2005011500.tif 000017
【請求項１６】
記録媒体に多値データｍ（ｍは０〜７の整数）を記録する際の最適記録条件を求める情報記録方法であって、記録パワーＰｗと消去パワーＰｅとの比を一定として、前記記録パワーＰｗ及び前記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、該最適記録パワーにおいて消去パワーＰｅを逐次変化させてテストパタンを記録し、その記録したテストパタンを再生し、その再生信号をサンプリングし、そのサンプリング結果に基づいて数１のΣδ２が最小になる消去パワーを最適消去パワーとして決定し、前記最適記録パワー及び前記最適消去パワーにおいてテストパタンを記録し、その記録したテストパタンを再生し、その再生信号をサンプリングし、そのサンプリング結果と目標値との誤差δｉ，ｊの絶対値が所望の値以下になるまで、前記多値データｍに対する記録パルス幅Ｔｏｎ＿ｍを補正することによって記録パルス幅を最適化することを特徴とする情報記録方法。
【数１】
2005011500.tif 000018
【請求項１７】
請求項１１乃至１６のいずれか一項に記載の情報記録方法において、多値データ列（ｘｙｚ）の多値データｙを記録するとき、（ｘ＋ｚ）が偶数のときは、多値データ列｛（ｘ＋ｚ）／２，ｍ，（ｘ＋ｚ）／２｝を記録するときの冷却パルス幅又は記録パルス幅を用い、（ｘ＋ｚ）が奇数のときは、多値データ列｛（ｘ＋ｚ−１）／２，ｍ，（ｘ＋ｚ−１）／２｝を記録するときの冷却パルス幅又は記録パルス幅を用いることを特徴とする情報記録方法。
【請求項１８】
請求項１１乃至１６のいずれか一項に記載の情報記録方法において、多値データ列（ｘｙｚ）の多値データｙを記録するとき、（ｘ＋ｚ）が偶数のときは、多値データ列｛（ｘ＋ｚ）／２，ｍ，（ｘ＋ｚ）／２｝を記録するときの冷却パルス幅又は記録パルス幅を用い、（ｘ＋ｚ）が奇数のときは、多値データ列｛（ｘ＋ｚ＋１）／２，ｍ，（ｘ＋ｚ＋１）／２｝を記録するときの冷却パルス幅又は記録パルス幅を用いることを特徴とする情報記録方法。
【請求項１９】
請求項１１乃至１８のいずれか一項に記載の情報記録方法において、テスト記録によって決定した記録条件を情報記録装置に記憶し、つぎに記録する際は、前記情報記録装置に記憶した記録条件を初期値としてテスト記録を行うことを特徴とする情報記録方法。
【請求項２０】
請求項１１乃至１８のいずれか一項に記載の情報記録方法において、前記記録媒体は相変化型光ディスクであることを特徴とする情報記録方法。
【請求項２１】
請求項１１乃至１８のいずれか一項に記載の情報記録方法において、２回以上オーバーライトした後、前記テストパタンの記録を行うことを特徴とする情報記録方法。
【請求項２２】
請求項１１乃至１８のいずれか一項に記載の情報記録方法において、前記記録媒体に、前記テストパタンを記録するときの前記記録パワーＰｗの初期値と前記記録パワーＰｗと前記消去パワーＰｅとの比からなる記録パラメータを予め記録していることを特徴とする情報記録方法。
【請求項２３】
記録媒体に多値データｍ（ｍは０〜７の整数）を記録する際の最適記録条件を求める情報記録装置であって、前記記録媒体の試し書き領域に、記録パワーＰｗと消去パワーＰｅとの比を一定として、記録パワーＰｗ及び消去パワーＰｅとを逐次変化させてテストパタンを記録し、その再生結果において前記多値データｍに対して再生信号レベルが略線形となる記録パワーＰｗ及び消去パワーＰｅを最適記録パワー及び最適消去パワーとして決定する手段を設けたことを特徴とする情報記録装置。
【請求項２４】
記録媒体に多値データｍ（ｍは０〜７の整数）を記録する際の最適記録条件を求める情報記録装置であって、前記記録媒体の試し書き領域に、消去パワーＰｅと記録パワーＰｗとの比Ｐｅ／Ｐｗを逐次変化させてテストパタンを記録し、その再生結果において前記多値データｍに対して再生信号レベルが略線形となるＰｅ／Ｐｗ比を最適比として決定する手段を設けたことを特徴とする情報記録装置。
【請求項２５】
記録媒体に多値データｍ（ｍは０〜７の整数）を記録する際の最適記録条件を求める情報記録装置であって、前記記録媒体の試し書き領域に、多値データｍに対する冷却パルス幅Ｔｏｆｆ＿ｍを逐次変化させてテストパタンを記録し、その再生結果において前記多値データｍに対して再生信号レベルが略線形となる冷却パルス幅Ｔｏｆｆ＿ｍを最適冷却パルス幅として決定する手段を設けたことを特徴とする情報記録装置。
【請求項２６】
記録媒体に多値データｍ（ｍは０〜７の整数）を記録する際の最適記録条件を求める情報記録装置であって、前記記録媒体の試し書き領域に、多値データｍに対する記録パルス幅Ｔｏｎ＿ｍを逐次変化させてテストパタンを記録し、その再生結果において前記多値データｍに対して再生信号レベルが略線形となる記録パルス幅Ｔｏｎ＿ｍを最適記録パルス幅として決定する手段を設けたことを特徴とする情報記録装置。
【請求項２７】
記録媒体に多値データｍ（ｍは０〜７の整数）を記録する情報記録装置であって、前記記録媒体に記録線速度の変化に応じて記録クロック周期を変化させて記録線密度が一定になるように多値データｍを記録する際に、前記記録媒体の試し書き領域に、複数種類の記録線速度で記録パワーＰｗ及び消去パワーＰｅを変化させてテストパタンを記録し、その各記録線速度の再生結果において前記多値データｍに対して再生信号レベルが略線形となる記録パワーＰｗ及び消去パワーＰｅを記録線速度に応じた最適記録パワー及び最適消去パワーとして決定する手段を設けたことを特徴とする情報記録装置。
【請求項２８】
記録媒体に多値データｍ（ｍは０〜７の整数）を記録する情報記録装置であって、前記記録媒体に記録線速度の変化に応じて記録クロック周期を変化させて記録線密度が一定になるように多値データｍを記録する際に、記録線速度に応じて冷却パルス幅Ｔｏｆｆ＿ｍ又は記録パルス幅Ｔｏｎ＿ｍを一律に変化させてテストパタンを記録し、その各記録線速度の再生結果において前記多値データｍに対して再生信号レベルが略線形となる冷却パルス幅及び記録パルス幅を決定する手段を設けたことを特徴とする情報記録装置。
【請求項２９】
請求項２７又は２８記載の情報記録装置において、前記記録媒体の試し書き領域に対する試し書きの結果から記録パワーＰｗ，Ｐｅ／Ｐｗ比，記録パルス幅Ｔｏｎ＿ｍ，冷却パルス幅Ｔｏｆｆ＿ｍのいずれかの記録条件ｙと記録線速度ｖとの関係値ｙ＝ａｖ＋ｂ（ａ，ｂは定数値）を求め、前記記録線速度ｖに応じて前記記録条件ｙを前記関係値にしたがって変化させて記録する手段を設けたことを特徴とする情報記録装置。
【請求項３０】
請求項２７又は２８記載の情報記録装置において、前記記録媒体の試し書き領域に対する試し書きの結果から記録パワーＰｗ，Ｐｅ／Ｐｗ比，記録パルス幅Ｔｏｎ＿ｍ，冷却パルス幅Ｔｏｆｆ＿ｍのいずれかの記録条件ｙと記録線速度ｖとの関係値ｙ＝ａｖ２＋ｂｖ＋ｃ（ａ，ｂ，ｃは定数値）を求め、前記記録線速度ｖに応じて前記記録条件ｙを前記関係値にしたがって変化させて記録する手段を設けたことを特徴とする情報記録装置。
【請求項３１】
請求項２３乃至３０のいずれか一項に記載の情報記録装置において、前記記録媒体に多値データｍを記録するときにＭ（Ｍは３以上の整数）値記録の場合、テストパタンが前後対称な多値データパタンＭ２通りを含むことを特徴とする情報記録装置。
【請求項３２】
請求項２３乃至２８，３１のいずれか一項に記載の情報記録装置において、前記記録媒体に多値データｍを記録するときにＭ値記録の場合での記録パワーＰｗ，Ｐｅ／Ｐｗ比，記録パルス幅Ｔｏｎ＿ｍ，冷却パルス幅Ｔｏｆｆ＿ｍの記録条件を、前記記録媒体の再生結果において（ｍ１＝１，２，…，Ｍ−２），Ｖｍ１′：サンプリングした多値データｍ１の再生信号レベル，Ｖ（ｍ１）＝ｍ１＊（ＶＭ−１′−Ｖ０′）／（Ｍ−１）＋Ｖ０：目標信号レベルのときに、数１のΣδ２が最小となる値に設定する手段を設けたことを特徴とする情報記録装置。
【数１】
2005011500.tif 000019
【請求項３３】
記録媒体に多値データｍ（ｍは０〜７の整数）を記録する際の最適記録条件を求める情報記録装置であって、記録パワーＰｗと消去パワーＰｅとの比を一定として、前記記録パワーＰｗ及び前記消去パワーＰｅとを逐次変化させてテストパタンを記録し、その記録したテストパタンを再生し、その再生信号をサンプリングし、そのサンプリング結果に基づいて数１のΣδ２が最小となる記録パワーを最適記録パワーとして決定し、該最適記録パワーにおいて消去パワーＰｅを逐次変化させてテストパタンを記録し、その記録したテストパタンを再生し、その再生信号をサンプリングし、そのサンプリング結果に基づいて数１のΣδ２が最小になる消去パワーを最適消去パワーとして決定する手段を設けたことを特徴とする情報記録装置。
【数１】
2005011500.tif 000020
【請求項３４】
記録媒体に多値データｍ（ｍは０〜７の整数）を記録する際の最適記録条件を求める情報記録装置であって、記録パワーＰｗと消去パワーＰｅとの比を一定として、前記記録パワーＰｗ及び前記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、該最適記録パワーにおいて消去パワーＰｅを逐次変化させてテストパタンを記録し、その記録したテストパタンを再生し、その再生信号をサンプリングし、そのサンプリング結果に基づいて数１のΣδ２が所望の値以下になる消去パワーを最適消去パワーとして決定する手段を設けたことを特徴とする情報記録装置。
【数１】
2005011500.tif 000021
【請求項３５】
記録媒体に多値データｍ（ｍは０〜７の整数）を記録する際の最適記録条件を求める情報記録装置であって、記録パワーＰｗと消去パワーＰｅとの比を一定として、前記記録パワーＰｗ及び前記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、該最適記録パワーにおいてテストパタンを記録し、その記録したテストパタンを再生し、その再生信号をサンプリングし、そのサンプリング結果と目標値との誤差δｉ，ｊの絶対値が所望の値以下になるまで、前記多値データｍに対する冷却パルス幅Ｔｏｆｆ＿ｍを補正することによって冷却パルス幅を最適化する手段を設けたことを特徴とする情報記録装置。
【数１】
2005011500.tif 000022
【請求項３６】
記録媒体に多値データｍ（ｍは０〜７の整数）を記録する際の最適記録条件を求める情報記録装置であって、記録パワーＰｗと消去パワーＰｅとの比を一定として、前記記録パワーＰｗ及び前記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、該最適記録パワーにおいてテストパタンを記録し、その記録したテストパタンを再生し、その再生信号をサンプリングし、そのサンプリング結果と目標値との誤差δｉ，ｊの絶対値が所望の値以下になるまで、前記多値データｍに対する記録パルス幅Ｔｏｎ＿ｍを補正することによって記録パルス幅を最適化する手段を設けたことを特徴とする情報記録装置。
【数１】
2005011500.tif 000023
【請求項３７】
記録媒体に多値データｍ（ｍは０〜７の整数）を記録する際の最適記録条件を求める情報記録装置であって、記録パワーＰｗと消去パワーＰｅとの比を一定として、前記記録パワーＰｗ及び前記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、該最適記録パワーにおいて消去パワーＰｅを逐次変化させてテストパタンを記録し、その記録したテストパタンを再生し、その再生信号をサンプリングし、そのサンプリング結果に基づいて数１のΣδ２が最小になる消去パワーを最適消去パワーとして決定し、前記最適記録パワー及び前記最適消去パワーにおいてテストパタンを記録し、その記録したテストパタンを再生し、その再生信号をサンプリングし、そのサンプリング結果と目標値との誤差δｉ，ｊの絶対値が所望の値以下になるまで、前記多値データｍに対する冷却パルス幅Ｔｏｆｆ＿ｍを補正することによって冷却パルス幅を最適化する手段を設けたことを特徴とする情報記録装置。
【数１】
2005011500.tif 000024
【請求項３８】
記録媒体に多値データｍ（ｍは０〜７の整数）を記録する際の最適記録条件を求める情報記録装置であって、記録パワーＰｗと消去パワーＰｅとの比を一定として、前記記録パワーＰｗ及び前記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、該最適記録パワーにおいて消去パワーＰｅを逐次変化させてテストパタンを記録し、その記録したテストパタンを再生し、その再生信号をサンプリングし、そのサンプリング結果に基づいて数１のΣδ２が最小になる消去パワーを最適消去パワーとして決定し、前記最適記録パワー及び前記最適消去パワーにおいてテストパタンを記録し、その記録したテストパタンを再生し、その再生信号をサンプリングし、そのサンプリング結果と目標値との誤差δｉ，ｊの絶対値が所望の値以下になるまで、前記多値データｍに対する記録パルス幅Ｔｏｎ＿ｍを補正することによって記録パルス幅を最適化する手段を設けたことを特徴とする情報記録装置。
【数１】
2005011500.tif 000025
【請求項３９】
請求項３３乃至３８のいずれか一項に記載の情報記録装置において、多値データ列（ｘｙｚ）の多値データｙを記録するとき、（ｘ＋ｚ）が偶数のときは、多値データ列｛（ｘ＋ｚ）／２，ｍ，（ｘ＋ｚ）／２｝を記録するときの冷却パルス幅又は記録パルス幅を用い、（ｘ＋ｚ）が奇数のときは、多値データ列｛（ｘ＋ｚ−１）／２，ｍ，（ｘ＋ｚ−１）／２｝を記録するときの冷却パルス幅又は記録パルス幅を用いる手段を設けたことを特徴とする情報記録装置。
【請求項４０】
請求項３３乃至３８のいずれか一項に記載の情報記録装置において、多値データ列（ｘｙｚ）の多値データｙを記録するとき、（ｘ＋ｚ）が偶数のときは、多値データ列｛（ｘ＋ｚ）／２，ｍ，（ｘ＋ｚ）／２｝を記録するときの冷却パルス幅又は記録パルス幅を用い、（ｘ＋ｚ）が奇数のときは、多値データ列｛（ｘ＋ｚ＋１）／２，ｍ，（ｘ＋ｚ＋１）／２｝を記録するときの冷却パルス幅又は記録パルス幅を用いる手段を設けたことを特徴とする情報記録装置。
【請求項４１】
請求項３３乃至４０のいずれか一項に記載の情報記録装置において、テスト記録によって決定した記録条件を情報記録装置に記憶し、つぎに記録する際は、前記情報記録装置に記憶した記録条件を初期値としてテスト記録を行う手段を設けたことを特徴とする情報記録装置。
【請求項４２】
請求項３３乃至４０のいずれか一項に記載の情報記録装置において、前記記録媒体は相変化型光ディスクであることを特徴とする情報記録装置。
【請求項４３】
請求項３３乃至４０のいずれか一項に記載の情報記録装置において、２回以上オーバーライトした後、前記テストパタンの記録を行うようにしたことを特徴とする情報記録装置。
【請求項４４】
請求項３３乃至４０のいずれか一項に記載の情報記録装置において、前記記録媒体に、前記テストパタンを記録するときの前記記録パワーＰｗの初期値と前記記録パワーＰｗと前記消去パワーＰｅとの比からなる記録パラメータを予め記録していることを特徴とする情報記録装置。
【発明の詳細な説明】
【技術分野】
【０００１】
この発明は、書き換え可能型の光ディスク等の記録媒体への情報記録方法に係り、特に記録マーク面積を変調することによって多値データを記録媒体上に記録する情報記録方法に関する。
【背景技術】
【０００２】
書き換え型光ディスクでは、光ディスク及び光ディスク記録再生装置の個体差や使用環境条件の影響があるため、各々の組合せにおいて記録条件を最適化する必要がある。
また、相変化型の光ディスクでは、所望の記録マークを形成するために、記録レーザの発光時間幅と記録パワーおよび消去パワーを制御している。
従来の情報記録方法では、高速記録が可能なように、記録線速度に応じて記録パワー，記録パルス幅及びそれらの両方を制御することで記録マークの均一化が行えるようにしている（例えば、特許文献１参照）。
また、記録したデータの再生結果を記録パルス波形にフィードバックすることによって記録条件の最適化を行っている（例えば、特許文献２参照）。
【０００３】
【特許文献１】特開平１０−１０６００８号公報
【特許文献２】特開２００２−５００４６号公報
【発明の開示】
【発明が解決しようとする課題】
【０００４】
しかしながら、上述した従来の情報記録方法は、２値記録における最適記録条件の設定方法であり、その２値記録では、２値化するためのスライスレベルが変化するとジッタが悪化するから（例えば、特許文献１の図５参照）、アシンメトリが所望の値の範囲になるように記録条件を設定することによって記録条件を最適化している。
しかしながら、多値記録方式においては、時間（マーク長あるいはスペース長）の偏差ではなく、電圧方向（マークによる信号レベル）の偏差を抑える必要がある。したがって、多値記録方式では、従来の情報記録方法にあるアシンメトリを目安にした最適記録条件の設定方法が使えないという問題があった。
【０００５】
さらに、本発明の情報記録方法に適用する多値記録方式について説明する。
図８乃至図１０は、本発明の情報記録方法に適用する多値記録方式の説明に供する図である。
図８に示すように、多値データに対応して再生信号レベルが変化するように、一定の長さをもつ記録セル毎に多値データを記録する。
多値データの再生は、所定の周波数で再生信号をサンプリング（例えば、記録セルの中心位置）し、そのサンプリングした信号レベルから多値データを判別する。記録データとして符号間干渉が無い孤立波を多値データ“０”から“７”まで記録したとき、記録条件が最適化されている場合は、図９に示すように多値データに対応して再生信号レベルがリニアに変化する。
【０００６】
一方、記録条件が最適でない場合は、記録パワーの過不足によって図９に示すように線形性が悪化する。
特に、短い記録マーク（多値データ“１”から“３”）が、記録条件及び外部の影響を受けやすい。
例えば、記録パワー不足の場合では、多値データ“１”から“３”において、多値データを判定するための閾値の間隔が狭くなるために再生マージンが低下するという問題が起こる。
【０００７】
また、高速記録を行うために、ディスク回転数を一定にし、記録信号の基準クロック周期をディスク半径位置に応じて変化させることによって、ＣＬＶフォーマットを高速で記録する方法が書換え型のＤＶＤ等の記録媒体で使われている。
この方法を多値記録に適用すると、図１０に示すように、記録線速度に応じて基準クロックを変化させて記録するだけでは、記録線速度に対して光ディスクの記録感度が線形でないために、短いマーク（多値データ“１”から“３”）が大きく形成される傾向になる。
すなわち、記録線速度によって多値データに対応する信号レベルの関係が変化することになり、記録線速度毎に多値判定レベルや波形等化係数を学習する必要が生じる。
したがって、再生時には線速度に対応した多値判定レベル、波形等化係数を読込んで再生することになり、再生に時間がかかるという問題がある。
【０００８】
この発明は上記の課題を解決するためになされたものであり、多値記録方式において、光ディスク等の記録媒体，その記録媒体に対する情報の記録を行う光ディスク装置等の情報記録装置の個体差及び環境条件の変化によらずに安定した記録ができるようにすることを目的とする。
また、多値記録方式において、記録線密度が一定である多値データをＣＡＶ方式で記録する際に、記録媒体の全面にほぼ等しい再生信号レベルが得られる情報を記録できるようにすることを目的とする。
【課題を解決するための手段】
【０００９】
この発明は上記の目的を達成するため、次の（１）〜（２２）の情報記録方法を提供する。
（１）記録媒体に多値データｍ（ｍは０〜７の整数）を記録する際の最適記録条件を求める情報記録方法であって、上記記録媒体の試し書き領域に、記録パワーＰｗと消去パワーＰｅとの比を一定として、記録パワーＰｗ及び消去パワーＰｅとを逐次変化させてテストパタンを記録し、その再生結果において上記多値データｍに対して再生信号レベルが略線形となる記録パワーＰｗ及び消去パワーＰｅを最適記録パワー及び最適消去パワーとして決定する情報記録方法。
（２）記録媒体に多値データｍ（ｍは０〜７の整数）を記録する際の最適記録条件を求める情報記録方法であって、上記記録媒体の試し書き領域に、消去パワーＰｅと記録パワーＰｗとの比Ｐｅ／Ｐｗを逐次変化させてテストパタンを記録し、その再生結果において上記多値データｍに対して再生信号レベルが略線形となるＰｅ／Ｐｗ比を最適比として決定する情報記録方法。
【００１０】
（３）記録媒体に多値データｍ（ｍは０〜７の整数）を記録する際の最適記録条件を求める情報記録方法であって、上記記録媒体の試し書き領域に、多値データｍに対する冷却パルス幅Ｔｏｆｆ＿ｍを逐次変化させてテストパタンを記録し、その再生結果において上記多値データｍに対して再生信号レベルが略線形となる冷却パルス幅Ｔｏｆｆ＿ｍを最適冷却パルス幅として決定する情報記録方法。
（４）記録媒体に多値データｍ（ｍは０〜７の整数）を記録する際の最適記録条件を求める情報記録方法であって、上記記録媒体の試し書き領域に、多値データｍに対する記録パルス幅Ｔｏｎ＿ｍを逐次変化させてテストパタンを記録し、その再生結果において上記多値データｍに対して再生信号レベルが略線形となる記録パルス幅Ｔｏｎ＿ｍを最適記録パルス幅として決定する情報記録方法。
【００１１】
（５）記録媒体に多値データｍ（ｍは０〜７の整数）を記録する情報記録方法であって、上記記録媒体に記録線速度の変化に応じて記録クロック周期を変化させて記録線密度が一定になるように多値データｍを記録する際に、上記記録媒体の試し書き領域に、複数種類の記録線速度で記録パワーＰｗ及び消去パワーＰｅを変化させてテストパタンを記録し、その各記録線速度の再生結果において上記多値データｍに対して再生信号レベルが略線形となる記録パワーＰｗ及び消去パワーＰｅを記録線速度に応じた最適記録パワー及び最適消去パワーとして決定する情報記録方法。
（６）記録媒体に多値データｍ（ｍは０〜７の整数）を記録する情報記録方法であって、上記記録媒体に記録線速度の変化に応じて記録クロック周期を変化させて記録線密度が一定になるように多値データｍを記録する際に、記録線速度に応じて冷却パルス幅Ｔｏｆｆ＿ｍ又は記録パルス幅Ｔｏｎ＿ｍを一律に変化させてテストパタンを記録し、その各記録線速度の再生結果において上記多値データｍに対して再生信号レベルが略線形となる冷却パルス幅及び記録パルス幅を決定する情報記録方法。
【００１２】
（７）上記（５）又は（６）の情報記録方法において、上記記録媒体の試し書き領域に対する試し書きの結果から記録パワーＰｗ，Ｐｅ／Ｐｗ比，記録パルス幅Ｔｏｎ＿ｍ，冷却パルス幅Ｔｏｆｆ＿ｍのいずれかの記録条件ｙと記録線速度ｖとの関係値ｙ＝ａｖ＋ｂ（ａ，ｂは定数値）を求め、上記記録線速度ｖに応じて上記記録条件ｙを上記関係値にしたがって変化させて記録する情報記録方法。
（８）上記（５）又は（６）の情報記録方法において、上記記録媒体の試し書き領域に対する試し書きの結果から記録パワーＰｗ，Ｐｅ／Ｐｗ比，記録パルス幅Ｔｏｎ＿ｍ，冷却パルス幅Ｔｏｆｆ＿ｍのいずれかの記録条件ｙと記録線速度ｖとの関係値ｙ＝ａｖ２＋ｂｖ＋ｃ（ａ，ｂ，ｃは定数値）を求め、上記記録線速度ｖに応じて上記記録条件ｙを上記関係値にしたがって変化させて記録する情報記録方法。
【００１３】
（９）上記（１）〜（８）のいずれかの情報記録方法において、上記記録媒体に多値データｍを記録するときにＭ（Ｍは３以上の整数）値記録の場合、テストパタンが前後対称な多値データパタンＭ２通りを含む情報記録方法。
（１０）上記（１）〜（６）（９）のいずれかの情報記録方法において、上記記録媒体に多値データｍを記録するときにＭ値記録の場合での記録パワーＰｗ，Ｐｅ／Ｐｗ比，記録パルス幅Ｔｏｎ＿ｍ，冷却パルス幅Ｔｏｆｆ＿ｍの記録条件を、上記記録媒体の再生結果において（ｍ１＝１，２，…，Ｍ−２），Ｖｍ１′：サンプリングした多値データｍ１の再生信号レベル，Ｖ（ｍ１）＝ｍ１＊（ＶＭ−１′−Ｖ０′）／（Ｍ−１）＋Ｖ０：目標信号レベルのときに、数１のΣδ２が最小となる値に設定する情報記録方法。
【００１４】
【数１】
2005011500.tif 000003
【００１５】
（１１）記録媒体に多値データｍ（ｍは０〜７の整数）を記録する際の最適記録条件を求める情報記録方法であって、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいて数１のΣδ２が最小となる記録パワーを最適記録パワーとして決定し、その最適記録パワーにおいて消去パワーＰｅを逐次変化させてテストパタンを記録し、その記録したテストパタンを再生し、その再生信号をサンプリングし、そのサンプリング結果に基づいて数１のΣδ２が最小になる消去パワーを最適消去パワーとして決定する情報記録方法。
【００１６】
（１２）記録媒体に多値データｍ（ｍは０〜７の整数）を記録する際の最適記録条件を求める情報記録方法であって、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、その最適記録パワーにおいて消去パワーＰｅを逐次変化させてテストパタンを記録し、その記録したテストパタンを再生し、その再生信号をサンプリングし、そのサンプリング結果に基づいて数１のΣδ２が所望の値以下になる消去パワーを最適消去パワーとして決定する情報記録方法。
【００１７】
（１３）記録媒体に多値データｍ（ｍは０〜７の整数）を記録する際の最適記録条件を求める情報記録方法であって、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、その最適記録パワーにおいてテストパタンを記録し、その記録したテストパタンを再生し、その再生信号をサンプリングし、そのサンプリング結果と目標値との誤差δｉ，ｊの絶対値が所望の値以下になるまで、上記多値データｍに対する冷却パルス幅Ｔｏｆｆ＿ｍを補正することによって冷却パルス幅を最適化する情報記録方法。
【００１８】
（１４）記録媒体に多値データｍ（ｍは０〜７の整数）を記録する際の最適記録条件を求める情報記録方法であって、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、その最適記録パワーにおいてテストパタンを記録し、その記録したテストパタンを再生し、その再生信号をサンプリングし、そのサンプリング結果と目標値との誤差δｉ，ｊの絶対値が所望の値以下になるまで、上記多値データｍに対する記録パルス幅Ｔｏｎ＿ｍを補正することによって記録パルス幅を最適化する情報記録方法。
【００１９】
（１５）記録媒体に多値データｍ（ｍは０〜７の整数）を記録する際の最適記録条件を求める情報記録方法であって、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、その最適記録パワーにおいて消去パワーＰｅを逐次変化させてテストパタンを記録し、その記録したテストパタンを再生し、その再生信号をサンプリングし、そのサンプリング結果に基づいて数１のΣδ２が最小になる消去パワーを最適消去パワーとして決定し、上記最適記録パワー及び上記最適消去パワーにおいてテストパタンを記録し、その記録したテストパタンを再生し、その再生信号をサンプリングし、そのサンプリング結果と目標値との誤差δｉ，ｊの絶対値が所望の値以下になるまで、上記多値データｍに対する冷却パルス幅Ｔｏｆｆ＿ｍを補正することによって冷却パルス幅を最適化する情報記録方法。
【００２０】
（１６）記録媒体に多値データｍ（ｍは０〜７の整数）を記録する際の最適記録条件を求める情報記録方法であって、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、その最適記録パワーにおいて消去パワーＰｅを逐次変化させてテストパタンを記録し、その記録したテストパタンを再生し、その再生信号をサンプリングし、そのサンプリング結果に基づいて数１のΣδ２が最小になる消去パワーを最適消去パワーとして決定し、上記最適記録パワー及び上記最適消去パワーにおいてテストパタンを記録し、その記録したテストパタンを再生し、その再生信号をサンプリングし、そのサンプリング結果と目標値との誤差δｉ，ｊの絶対値が所望の値以下になるまで、上記多値データｍに対する記録パルス幅Ｔｏｎ＿ｍを補正することによって記録パルス幅を最適化する情報記録方法。
【００２１】
（１７）上記（１１）〜（１６）のいずれかの情報記録方法において、多値データ列（ｘｙｚ）の多値データｙを記録するとき、（ｘ＋ｚ）が偶数のときは、多値データ列｛（ｘ＋ｚ）／２，ｍ，（ｘ＋ｚ）／２｝を記録するときの冷却パルス幅又は記録パルス幅を用い、（ｘ＋ｚ）が奇数のときは、多値データ列｛（ｘ＋ｚ−１）／２，ｍ，（ｘ＋ｚ−１）／２｝を記録するときの冷却パルス幅又は記録パルス幅を用いる情報記録方法。
（１８）上記（１１）〜（１６）のいずれかの情報記録方法において、多値データ列（ｘｙｚ）の多値データｙを記録するとき、（ｘ＋ｚ）が偶数のときは、多値データ列｛（ｘ＋ｚ）／２，ｍ，（ｘ＋ｚ）／２｝を記録するときの冷却パルス幅又は記録パルス幅を用い、（ｘ＋ｚ）が奇数のときは、多値データ列｛（ｘ＋ｚ＋１）／２，ｍ，（ｘ＋ｚ＋１）／２｝を記録するときの冷却パルス幅又は記録パルス幅を用いる情報記録方法。
【００２２】
（１９）上記（１１）〜（１８）のいずれかの情報記録方法において、テスト記録によって決定した記録条件を情報記録装置に記憶し、つぎに記録する際は、上記情報記録装置に記憶した記録条件を初期値としてテスト記録を行う情報記録方法。
（２０）上記（１１）〜（１８）のいずれかの情報記録方法において、上記記録媒体は相変化型光ディスクである情報記録方法。
（２１）上記（１１）〜（１８）のいずれかの情報記録方法において、２回以上オーバーライトした後、上記テストパタンの記録を行う情報記録方法。
（２２）上記（１１）〜（１８）のいずれかの情報記録方法において、上記記録媒体に、上記テストパタンを記録するときの上記記録パワーＰｗの初期値と上記記録パワーＰｗと上記消去パワーＰｅとの比からなる記録パラメータを予め記録している情報記録方法。
【００２３】
また、次の（２３）〜（４４）の情報記録装置も提供する。
（２３）記録媒体に多値データｍ（ｍは０〜７の整数）を記録する際の最適記録条件を求める情報記録装置であって、上記記録媒体の試し書き領域に、記録パワーＰｗと消去パワーＰｅとの比を一定として、記録パワーＰｗ及び消去パワーＰｅとを逐次変化させてテストパタンを記録し、その再生結果において上記多値データｍに対して再生信号レベルが略線形となる記録パワーＰｗ及び消去パワーＰｅを最適記録パワー及び最適消去パワーとして決定する手段を設けた情報記録装置。
（２４）記録媒体に多値データｍ（ｍは０〜７の整数）を記録する際の最適記録条件を求める情報記録装置であって、上記記録媒体の試し書き領域に、消去パワーＰｅと記録パワーＰｗとの比Ｐｅ／Ｐｗを逐次変化させてテストパタンを記録し、その再生結果において上記多値データｍに対して再生信号レベルが略線形となるＰｅ／Ｐｗ比を最適比として決定する手段を設けた情報記録装置。
【００２４】
（２５）記録媒体に多値データｍ（ｍは０〜７の整数）を記録する際の最適記録条件を求める情報記録装置であって、上記記録媒体の試し書き領域に、多値データｍに対する冷却パルス幅Ｔｏｆｆ＿ｍを逐次変化させてテストパタンを記録し、その再生結果において上記多値データｍに対して再生信号レベルが略線形となる冷却パルス幅Ｔｏｆｆ＿ｍを最適冷却パルス幅として決定する手段を設けた情報記録装置。
（２６）記録媒体に多値データｍ（ｍは０〜７の整数）を記録する際の最適記録条件を求める情報記録装置であって、上記記録媒体の試し書き領域に、多値データｍに対する記録パルス幅Ｔｏｎ＿ｍを逐次変化させてテストパタンを記録し、その再生結果において上記多値データｍに対して再生信号レベルが略線形となる記録パルス幅Ｔｏｎ＿ｍを最適記録パルス幅として決定する手段を設けた情報記録装置。
【００２５】
（２７）記録媒体に多値データｍ（ｍは０〜７の整数）を記録する情報記録装置であって、上記記録媒体に記録線速度の変化に応じて記録クロック周期を変化させて記録線密度が一定になるように多値データｍを記録する際に、上記記録媒体の試し書き領域に、複数種類の記録線速度で記録パワーＰｗ及び消去パワーＰｅを変化させてテストパタンを記録し、その各記録線速度の再生結果において上記多値データｍに対して再生信号レベルが略線形となる記録パワーＰｗ及び消去パワーＰｅを記録線速度に応じた最適記録パワー及び最適消去パワーとして決定する手段を設けた情報記録装置。
（２８）記録媒体に多値データｍ（ｍは０〜７の整数）を記録する情報記録装置であって、上記記録媒体に記録線速度の変化に応じて記録クロック周期を変化させて記録線密度が一定になるように多値データｍを記録する際に、記録線速度に応じて冷却パルス幅Ｔｏｆｆ＿ｍ又は記録パルス幅Ｔｏｎ＿ｍを一律に変化させてテストパタンを記録し、その各記録線速度の再生結果において上記多値データｍに対して再生信号レベルが略線形となる冷却パルス幅及び記録パルス幅を決定する手段を設けた情報記録装置。
【００２６】
（２９）上記（２７）又は（２８）の情報記録装置において、上記記録媒体の試し書き領域に対する試し書きの結果から記録パワーＰｗ，Ｐｅ／Ｐｗ比，記録パルス幅Ｔｏｎ＿ｍ，冷却パルス幅Ｔｏｆｆ＿ｍのいずれかの記録条件ｙと記録線速度ｖとの関係値ｙ＝ａｖ＋ｂ（ａ，ｂは定数値）を求め、上記記録線速度ｖに応じて上記記録条件ｙを上記関係値にしたがって変化させて記録する手段を設けた情報記録装置。
（３０）上記（２７）又は（２８）の情報記録装置において、上記記録媒体の試し書き領域に対する試し書きの結果から記録パワーＰｗ，Ｐｅ／Ｐｗ比，記録パルス幅Ｔｏｎ＿ｍ，冷却パルス幅Ｔｏｆｆ＿ｍのいずれかの記録条件ｙと記録線速度ｖとの関係値ｙ＝ａｖ２＋ｂｖ＋ｃ（ａ，ｂ，ｃは定数値）を求め、上記記録線速度ｖに応じて上記記録条件ｙを上記関係値にしたがって変化させて記録する手段を設けた情報記録装置。
【００２７】
（３１）上記（２３）〜（３０）のいずれかの情報記録装置において、上記記録媒体に多値データｍを記録するときにＭ（Ｍは３以上の整数）値記録の場合、テストパタンが前後対称な多値データパタンＭ２通りを含む情報記録装置。
（３２）上記（２３）〜（２８）（３１）のいずれかの情報記録装置において、上記記録媒体に多値データｍを記録するときにＭ値記録の場合での記録パワーＰｗ，Ｐｅ／Ｐｗ比，記録パルス幅Ｔｏｎ＿ｍ，冷却パルス幅Ｔｏｆｆ＿ｍの記録条件を、上記記録媒体の再生結果において（ｍ１＝１，２，…，Ｍ−２），Ｖｍ１′：サンプリングした多値データｍ１の再生信号レベル，Ｖ（ｍ１）＝ｍ１＊（ＶＭ−１′−Ｖ０′）／（Ｍ−１）＋Ｖ０：目標信号レベルのときに、数１のΣδ２が最小となる値に設定する手段を設けた情報記録装置。
【００２８】
【数１】
2005011500.tif 000004
【００２９】
（３３）記録媒体に多値データｍ（ｍは０〜７の整数）を記録する際の最適記録条件を求める情報記録装置であって、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいて数１のΣδ２が最小となる記録パワーを最適記録パワーとして決定し、その最適記録パワーにおいて消去パワーＰｅを逐次変化させてテストパタンを記録し、その記録したテストパタンを再生し、その再生信号をサンプリングし、そのサンプリング結果に基づいて数１のΣδ２が最小になる消去パワーを最適消去パワーとして決定する手段を設けた情報記録装置。
【００３０】
（３４）記録媒体に多値データｍ（ｍは０〜７の整数）を記録する際の最適記録条件を求める情報記録装置であって、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、その最適記録パワーにおいて消去パワーＰｅを逐次変化させてテストパタンを記録し、その記録したテストパタンを再生し、その再生信号をサンプリングし、そのサンプリング結果に基づいて数１のΣδ２が所望の値以下になる消去パワーを最適消去パワーとして決定する手段を設けた情報記録装置。
【００３１】
（３５）記録媒体に多値データｍ（ｍは０〜７の整数）を記録する際の最適記録条件を求める情報記録装置であって、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、その最適記録パワーにおいてテストパタンを記録し、その記録したテストパタンを再生し、その再生信号をサンプリングし、そのサンプリング結果と目標値との誤差δｉ，ｊの絶対値が所望の値以下になるまで、上記多値データｍに対する冷却パルス幅Ｔｏｆｆ＿ｍを補正することによって冷却パルス幅を最適化する手段を設けた情報記録装置。
【００３２】
（３６）記録媒体に多値データｍ（ｍは０〜７の整数）を記録する際の最適記録条件を求める情報記録装置であって、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、その最適記録パワーにおいてテストパタンを記録し、その記録したテストパタンを再生し、その再生信号をサンプリングし、そのサンプリング結果と目標値との誤差δｉ，ｊの絶対値が所望の値以下になるまで、上記多値データｍに対する記録パルス幅Ｔｏｎ＿ｍを補正することによって記録パルス幅を最適化する手段を設けた情報記録装置。
【００３３】
（３７）記録媒体に多値データｍ（ｍは０〜７の整数）を記録する際の最適記録条件を求める情報記録装置であって、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、その最適記録パワーにおいて消去パワーＰｅを逐次変化させてテストパタンを記録し、その記録したテストパタンを再生し、その再生信号をサンプリングし、そのサンプリング結果に基づいて数１のΣδ２が最小になる消去パワーを最適消去パワーとして決定し、上記最適記録パワー及び上記最適消去パワーにおいてテストパタンを記録し、その記録したテストパタンを再生し、その再生信号をサンプリングし、そのサンプリング結果と目標値との誤差δｉ，ｊの絶対値が所望の値以下になるまで、上記多値データｍに対する冷却パルス幅Ｔｏｆｆ＿ｍを補正することによって冷却パルス幅を最適化する手段を設けた情報記録装置。
【００３４】
（３８）記録媒体に多値データｍ（ｍは０〜７の整数）を記録する際の最適記録条件を求める情報記録装置であって、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいて数１のΣδ２が最小になる記録パワーを最適記録パワーとして決定し、その最適記録パワーにおいて消去パワーＰｅを逐次変化させてテストパタンを記録し、その記録したテストパタンを再生し、その再生信号をサンプリングし、そのサンプリング結果に基づいて数１のΣδ２が最小になる消去パワーを最適消去パワーとして決定し、上記最適記録パワー及び上記最適消去パワーにおいてテストパタンを記録し、その記録したテストパタンを再生し、その再生信号をサンプリングし、そのサンプリング結果と目標値との誤差δｉ，ｊの絶対値が所望の値以下になるまで、上記多値データｍに対する記録パルス幅Ｔｏｎ＿ｍを補正することによって記録パルス幅を最適化する手段を設けた情報記録装置。
【００３５】
（３９）上記（３３）〜（３８）のいずれかの情報記録装置において、多値データ列（ｘｙｚ）の多値データｙを記録するとき、（ｘ＋ｚ）が偶数のときは、多値データ列｛（ｘ＋ｚ）／２，ｍ，（ｘ＋ｚ）／２｝を記録するときの冷却パルス幅又は記録パルス幅を用い、（ｘ＋ｚ）が奇数のときは、多値データ列｛（ｘ＋ｚ−１）／２，ｍ，（ｘ＋ｚ−１）／２｝を記録するときの冷却パルス幅又は記録パルス幅を用いる手段を設けた情報記録装置。
（４０）上記（３３）〜（３８）のいずれかの情報記録装置において、多値データ列（ｘｙｚ）の多値データｙを記録するとき、（ｘ＋ｚ）が偶数のときは、多値データ列｛（ｘ＋ｚ）／２，ｍ，（ｘ＋ｚ）／２｝を記録するときの冷却パルス幅又は記録パルス幅を用い、（ｘ＋ｚ）が奇数のときは、多値データ列｛（ｘ＋ｚ＋１）／２，ｍ，（ｘ＋ｚ＋１）／２｝を記録するときの冷却パルス幅又は記録パルス幅を用いる手段を設けた情報記録装置。
【００３６】
（４１）上記（３３）〜（４０）のいずれかの情報記録装置において、テスト記録によって決定した記録条件を情報記録装置に記憶し、つぎに記録する際は、上記情報記録装置に記憶した記録条件を初期値としてテスト記録を行う手段を設けた情報記録装置。
（４２）上記（３３）〜（４０）のいずれかの情報記録装置において、上記記録媒体は相変化型光ディスクである情報記録装置。
（４３）上記（３３）〜（４０）のいずれかの情報記録装置において、２回以上オーバーライトした後、上記テストパタンの記録を行うようにした情報記録装置。
（４４）上記（３３）〜（４０）のいずれかの情報記録装置において、上記記録媒体に、上記テストパタンを記録するときの上記記録パワーＰｗの初期値と上記記録パワーＰｗと上記消去パワーＰｅとの比からなる記録パラメータを予め記録している情報記録装置。
【発明の効果】
【００３７】
この発明による情報記録方法と情報記録装置は、多値記録方式において、光ディスク等の記録媒体，その記録媒体に対する情報の記録を行う光ディスク装置等の情報記録装置の個体差及び環境条件の変化によらずに情報記録を安定して行える。
また、多値記録方式において、記録線密度が一定である多値データをＣＡＶ方式で記録する際に、記録媒体の全面にほぼ等しい再生信号レベルが得られる情報を記録することができる。
【発明を実施するための最良の形態】
【００３８】
以下、この発明を実施するための最良の形態を図面に基づいて具体的に説明する。
図１７は、図１８に示す光ディスクドライブを備えた情報処理装置の構成の概略を示すブロック図である。
この情報処理装置は、主制御装置２１，インタフェース２２，記録装置２３，入力装置２４及び表示装置２５などを備えており、インタフェース２２を介して図１８に示す構成の光ディスクドライブ２０を接続している。
主制御装置２１は、マイクロコンピュータ，メインメモリ（いずれも公知なので図示を省略）などを含んで構成され、情報処理装置の全体を制御する。
インタフェース２２は、光ディスクドライブ２０との双方向の通信インタフェースであり、ＡＴＡＰＩ及びＳＣＳＩ等の標準インタフェースに準拠している。
【００３９】
インタフェース２２は、光ディスクドライブ２０のＡＴＡＰＩ／ＳＣＳＩインタフェース１５と接続されている。
なお、各インタフェース間の接続形態は、通信ケーブル（例えばＳＣＳＩケーブル）などの通信線を用いたケーブル接続だけでなく、赤外線などを利用したワイヤレス接続であっても良い。
記録装置２３はハードディスク（ＨＤＤ）等の記憶装置であり、主制御装置２１のマイクロコンピュータで解読可能なコードで記述された各種のプログラムが格納されている。
なお、情報処理装置の駆動電源がオン状態になると、上記プログラムは主制御装置２１のメインメモリにロードされる。
【００４０】
入力装置２４は、例えば、キーボード，マウス及びポインティングデバイスなどのうち少なくとも１つの入力媒体（図示省略）を備えており、ユーザから入力された各種情報を主制御装置２１に通知する。
表示装置２５は、例えば、ＣＲＴ，液晶ディスプレイ（ＬＣＤ）及びプラズマディスプレイパネル（ＰＤＰ）などの表示部（図示省略）を備えており、主制御装置２１からの各種情報を表示する。
なお、入力媒体からの情報はワイヤレス方式で入力されても良い。また、入力装置２４と表示装置２５とが一体化したものとして、例えば、タッチパネル付きＣＲＴなどがある。また、この情報処理装置はオペレーティングシステム（以下「ＯＳ」という）を搭載している。そして、情報処理装置を構成する全てのデバイスはＯＳによって管理されているものとする。
【００４１】
図１８は、この発明の情報記録装置の一実施形態である光ディスクドライブの主要部の構成を示す機能ブロック図である。
この光ディスクドライブ２０は、上述のような光ディスク１に対するデータの記録再生を行う光ディスク装置（光情報記録再生装置）であり、スピンドルモータ２，光ピックアップ３，モータドライバ４，リードアンプ５，サーボ回路６，ＤＶＤデコーダ７，ＡＤＩＰデコーダ８，レーザコントローラ９，ＤＶＤエンコーダ１０，ＤＶＤ−ＲＯＭエンコーダ１１，バッファＲＡＭ１２，バッファマネージャ１３，ＤＶＤ−ＲＯＭデコーダ１４，ＡＴＡＰＩ／ＳＣＳＩインタフェース（Ｉ／Ｆ）１５，Ｄ／Ａコンバータ１６，ＲＯＭ１７，ＣＰＵ１８及びＲＡＭ１９等からなる。
【００４２】
また、上記リードアンプ５は、後に詳述する制御信号生成部５１を内蔵し、図中のＬＢは光ピックアップ３から光ディスク１に照射するレーザ光を示し、Ｄ／Ａコンバータ１６からはオーディオ（Ａｕｄｉｏ）出力信号を出力する。
同図中において、矢印はデータが主に流れる方向を示しており、また、図を簡略化するために、各ブロックを制御するＣＰＵ１８には太線のみを付けて各ブロックとの接続の図示を省略している。
【００４３】
ＲＯＭ１７には、ＣＰＵ１８において解読可能なコードで記述されたこの発明に係るプログラムを含む各種の制御プログラムが記憶されている。
なお、この光ディスクドライブの電源がオン状態になると、上記ＲＯＭ１７に記憶されているプログラムは図示を省略した公知のメインメモリ（例えば、上記ＲＡＭ１９内に設けると良い）にロードされ、ＣＰＵ１８はそのプログラムの手順を実行することによって上記各部の動作を制御すると共に、この発明に係る情報記録方法の処理を行い、この発明に係る情報記録装置の各手段の機能を果たし、各種の制御に必要なデータ等を一時的にＲＡＭ１９に保存する。
【００４４】
光ディスク１は、スピンドルモータ２によって回転駆動されるＤＶＤ−ＲＡＭ・ＷＯディスク，ＤＶＤ−Ｒディスク，ＤＶＤ＋Ｒディスク，ＤＶＤ−ＲＡＭディスク，ＤＶＤ−ＲＷディスク，ＤＶＤ＋ＲＷディスク等の情報記録媒体（光情報記録媒体）である。
スピンドルモータ２は、モータドライバ４とサーボ回路６によって線速度または角速度が一定になるように制御される。その線速度又は角速度は階段的に変更することが可能である。
【００４５】
光ピックアップ３は、半導体レーザ光源（「光源」：ＬＤ），光学系，フォーカスアクチュエータ，トラックアクチュエータ，受光素子およびポジションセンサ等を内蔵しており、レーザ光ＬＢを光ディスク１に照射する。
また、この光ピックアップ３は、シークモータによってスレッジ方向への移動が可能である。それらのフォーカスアクチュエータ，トラックアクチュエータ，シークモータは、受光素子とポジションセンサから得られる信号に基づいて、モータドライバ４とサーボ回路６により、レーザ光ＬＢのスポットが光ディスク１上の目的の場所に位置するように制御される。なお、光ピックアップ３の内部構成については後に詳述する。
そして、情報の再生（リード）時には、光ピックアップ３によって得られた再生信号をリードアンプ５で増幅及び２値化した後、ＤＶＤデコーダ７に入力して８／１６復調する。このリードアンプ５は、後に詳述する制御信号生成部５１を内蔵している。
【００４６】
なお、記録データは、８ビットずつまとめられて変調（８／１６変調）されており、その変調では８ビットを１６ビットに変換している。
その場合に、結合ビットは、それまでの「１」と「０」の数が平均的に等しくなるように付けられる。これを「ＤＣ成分の抑制」と呼び、ＤＣカットされた再生信号のスライスレベル変動が抑圧される。
ＤＶＤデコーダ７によって復調したデータにデインタリーブとエラー訂正の処理を行い、その後、そのデータを、ＤＶＤ−ＲＯＭデコーダ１４へ入力してデータの信頼性を高めるために、さらにエラー訂正の処理を行う。
【００４７】
このようにして、２回のエラー訂正の処理を行ったデータを、バッファマネージャ１３によって一旦バッファＲＡＭ１２に蓄え、セクタデータとして揃った状態でＡＴＡＰＩ／ＳＣＳＩインタフェース１５を介してホストコンピュータへ一気に転送する。
なお、音楽データの場合には、ＤＶＤデコーダ７から出力されたデータを、Ｄ／Ａコンバータ１６へ入力してアナログのオーディオ出力信号として取り出す。
【００４８】
一方、情報の記録（ライト）時には、ＡＴＡＰＩ／ＳＣＳＩインタフェース１５を通してホストコンピュータから送られてきたデータを、バッファマネージャ１３によって一旦バッファＲＡＭ１２に蓄える。
その後、ライト動作を開始するが、その場合には、ライト動作の前にスポット（レーザスポット，微小スポット）を光ディスク１上の書き込み開始地点に位置させる必要がある。
その書き込み開始地点は、光ディスク１がＤＶＤ＋ＲＷディスク，ＤＶＤ＋Ｒディスクでは、予め記録面上にトラックの蛇行によって刻まれているウォブルを検出したウォブル信号によって求めることができる。
【００４９】
なお、上記書き込み開始地点は、光ディスク１がＤＶＤ−ＲＷディスク，ＤＶＤ−Ｒディスクでは、その記録面上に形成されたランドプリピットに基づく信号から求めることができる。さらに、光ディスク１がＤＶＤ−ＲＡＭディスク，ＤＶＤ−ＲＡＭ・ＷＯディスクの場合では、その記録面上に形成されたプリピットに基づく信号から求めることができる。
【００５０】
上記光ディスク１がＤＶＤ＋ＲＷディスク，ＤＶＤ＋Ｒディスクの場合、その記録面上に形成されたウォブルに基づくウォブル信号には、アドレス・イン・プリグルーブ（ＡＤｒｅｓｓ  Ｉｎ  Ｐｒｅ−ｇｒｏｏｖｅ：ＡＤＩＰ）と呼ばれるアドレス情報が含まれており、そのアドレス情報をＡＤＩＰデコーダ８によって取り出す。
また、そのＡＤＩＰデコーダ８は上記アドレス情報に基づいて同期信号を生成してＤＶＤエンコーダ１０へ出力する。
ＤＶＤ−ＲＯＭエンコーダ１１，ＤＶＤエンコーダ１０において、バッファＲＡＭ１２のデータにエラー訂正コードの付加やインタリーブを行い、ＤＶＤエンコーダ１０はその同期信号に基づいてバッファＲＡＭ１２からのデータをレーザコントローラ９へ出力することにより、光ディスク１上の正確な位置へのデータの書き込みを可能にしている。
【００５１】
そして、レーザコントローラ９，光ピックアップ３を介してそのデータを光ディスク１に記録する。
また、上記光ディスク１がＤＶＤ−ＲＷディスク，ＤＶＤ−Ｒディスクの場合は、ランドプリピットからアドレス情報を得て、上述と同様にしてデータを記録する。あるいは、上記光ディスク１がＤＶＤ＋ＲＷディスク，ＤＶＤ＋Ｒディスクの場合は、プリピットからアドレス情報を得て、上述と同様にしてデータを記録する。
【００５２】
（第１実施例）
上記ＣＰＵ１８における第１実施例の情報記録方法の処理は、多値記録方式の記録媒体（ＤＶＤ等の光ディスク）において、記録パワーＰｗ，消去パワーＰｅ／記録パワーＰｗ比，記録パルス幅ΔＴｏｎ，冷却パルス幅ΔＴｏｆｆのいずれかの記録条件を変化させて記録媒体の試し書きを行い、それらの再生結果において多値データと再生信号レベルとの線形性に着目して最適記録条件を決定するものである。ここでは、Ｍ＝８，ｍを０〜７の場合について説明する。
したがって、多値判定誤り率を測定して最適記録条件を決定するのと比較して、簡便な方法で決定できる。試し書き時のテストパタンとして、前後多値データが対称な（ＸＹＸ）パタンを準備した。また、８（Ｍ＝８）値記録の場合では、６４通りになる（表１参照）。
【００５３】
【表１】
2005011500.tif 000005
【００５４】
図２は、第１実施例の情報記録方法の処理における多値データと規格化ＲＦレベルとの関係を示す図である。
同図に示すように、このパタンを記録して再生したときに、それぞれのＸに対してＹの再生信号レベルが略線形になるように記録条件を設定する。
このテストパタンを用いることにより、符号間干渉のない孤立波だけでなく、符号間干渉のある場合においても線形であるか否かをチェックできる。
【００５５】
本第１実施例の記録媒体である光ディスクは、波長６５０ｎｍのレーザ光で記録が可能な相変化型光ディスクである。その基板は、直径１２０ｍｍ，厚さ０．６ｍｍのポリカーボネートからなり、基板表面上には、射出成形によりグルーブが形成されている。
グルーブは、幅約０．３５μｍ，深さ約３０ｎｍ，トラックピッチ０．７４μｍで内周から外周まで連続したスパイラルとして形成されている。
この基板上に、誘電体膜，Ａｇ−Ｉｎ−Ｓｂ−Ｔｅからなる相変化記録膜，誘電体膜，反射膜を順次積層して相変化型光ディスクを作製している。
データの記録再生は、波長６５０ｎｍ，対物レンズのＮＡ０．６５の記録再生装置を用いて８値記録を行う。また、線速度２．５ｍ／ｓ，記録クロック周期Ｔ＝１０ｎｓ，１セルの周方向の長さを０．４０μｍ（１６Ｔ）とし、各多値データのデータ長および記録パルス長は表１に示す条件で記録する。
【００５６】
図３は、多値データ“２”の記録パルス波形を示す図である。
同図に示すように、記録データパルスに対応して記録パルス波形を発生させる。その記録パルス波形は、記録パルスの立上がりＴａ，記録パルスの立下がりＴｂ，消去パルスの立上がりＴｃで定義している。
表２の記録パルス幅Ｔｏｎ，冷却パルス幅Ｔｏｆｆは、それぞれＴｏｎ＝Ｔｂ−Ｔａ，Ｔｏｆｆ＝Ｔｃ−Ｔｂのことである。
また、線速度２．５ｍ／ｓにおける代表的なパワー条件は、記録パワーＰｗ＝１５．０ｍＷ，消去パワーＰｅ＝６．９ｍＷ，バイアスパワーＰｂ＝０．１ｍＷである。
【００５７】
【表２】
2005011500.tif 000006
【００５８】
図４は、消去パワーＰｅ／記録パワーＰｗ比を変化させてテストパタンを記録したときのΣδ２の変化を示す図である。
ここでは、試し書きのテストパタンとして、６４通りの（ＸＹＸ）パタンを使っている。また、Σδ２は次の数２に示す式で定義される量であり、多値データに対してどれだけ再生信号レベルが線形になっているかを示す指標である。
ここで、多値データ０〜７とした場合、Ｖｍ１′：サンプリングした多値データｍ１の再生信号レベル，Ｖ（ｍ１）＝ｍ１＊（Ｖ７′−Ｖ０′）／７＋Ｖ０：多値データｍ１の目標信号レベルである。この数２のΣδ２が最小となる消去パワーＰｅ／記録パワーＰｗ比で記録を行えば、ランダムパタンを記録し、波形等化後の多値判定誤り率は、１０−３以下になる。
【００５９】
【数２】
2005011500.tif 000007
【００６０】
図１は、この第１実施例の情報記録方法の処理における試し書きによる記録条件決定方法の処理を示すフローチャート図である。
この処理は、例えば、ＣＰＵ，ＲＯＭ及びＲＡＭ等からなるマイクロコンピュータによって実現されるＤＶＤドライブ等の情報記録再生装置の制御部において、ステップ（図中「Ｓ」で示す）１で、光ディスクにプリフォーマット情報として記録されている記録条件Ｗ（各パワー設定条件，各パルス幅設定条件）を読み出す。
次にステップ２で、記録条件変更範囲を算出する。例えば、ステップ１で読み出した消去パワーと記録パワーとの比が０．４６であったとすると、変化させる範囲（１±０．１）＊０．４６を０．４１−０．５１に算出する（ここでは、設定値の１０％を変化させる）。
【００６１】
次にステップ３で、変更間隔を算出する。ステップ２で算出した範囲で、例えば７条件（７水準）設定し、ステップ４で初期値設定としてｉ＝０とし、ステップ５で記録条件Ｗ（ｉ＝０）で試し書きする。
次にステップ６で再生し、ステップ７でその再生信号をサンプリングし、ステップ８でそのサンプリング結果に基づいて上述のようなΣδ２を算出し、その算出結果を情報記録再生装置の記憶装置に記憶する。
次にステップ９でｉ＝ｎ（ここではｎ＝７）か否かを判断して、７条件の試し書きが終了していない場合は、ステップ１２でｉ＝ｉ＋１としてステップ５の処理へ戻って次の記録条件で試し書きを行い、ステップ９でｉ＝ｎならステップ１０で上記７条件の中でΣδ２が最小となった記録条件を選び、ステップ１１でステップ１０で選択した記録条件の値を最適条件として設定し、試し（書き）記録の処理を終了する。
【００６２】
また、消去パワーＰｅ／記録パワーＰｗ比ではなく、記録パルス幅Ｔｏｎあるいは冷却パルス幅Ｔｏｆｆによっても、上述した図９のパワー最適の状態に調整することができる。
さらに、パルス幅によって調整する場合は、多値データ“１”から“７”の記録パルス幅Ｔｏｎ、あるいは冷却パルス幅Ｔｏｆｆを一定量だけ一律に変化させて、消去パワーＰｅ／記録パワーＰｗと同様に、Σδ２が最小になる値に決定する。
【００６３】
光ディスクの特性としては、変調度（（Ｖ７′−Ｖ０′）／Ｖ０′）が小さいと再生マージンが小さくなるから、変調度５０％以上は必要であり、より好ましくは６０％以上が望ましい。また、本番の記録を行う前に試し書きすることによって、光ディスクと記録再生装置との個々の組合せにおいて記録条件の最適化ができる。
【００６４】
（第２実施例）
上記ＣＰＵ１８における第２実施例の情報記録方法の処理は、ＣＡＶ駆動で記録線密度一定の記録を行う際に、複数の記録線速度で試し書きを行い、上記第２実施例で示した情報記録方法を用いて各線速度における最適記録条件を決定する。
これらの結果から、記録線速度と最適記録条件との関係式を求め、記録線速度に応じて上記関係式にしたがって記録条件を変化させて記録することによって、光ディスクの全面にわたってほぼ等しい再生信号レベルが得られるようにしたものである。
【００６５】
図５は、第１実施例の処理と同様の光ディスクと光ディスクドライブを用いて、記録線速度を２．５ｍ／ｓ（記録クロック周期Ｔ＝１０ｎｓ）から５．０ｍ／ｓ（同Ｔ＝５ｎｓ）まで変化させてテストパタンを記録したとき、Σδ２が最小になるＰｅ／Ｐｗ比の値をプロットした線図である。
このとき、各多値データの記録パルス幅Ｔｏｎ（Ｔ）及び冷却パルス幅Ｔｏｆｆ（Ｔ）はそれぞれ一定にして記録する。また、テストパタンは、６４通りの（ＸＹＸ）パタンを使う。
【００６６】
図５から、消去パワーＰｅ／記録パワーＰｗ比を記録線速度Ｖに対して１次関数：消去パワーＰｅ／記録パワーＰｗ比（Ｐｅ／Ｐｗ）＝ａＶ＋ｂにしたがって変化させれば、線速度によらずほぼ等しい多値信号レベルが得られることがわかる。光ディスクの特性によっては、２次関数：消去パワーＰｅ／記録パワーＰｗ比（Ｐｅ／Ｐｗ）＝ａＶ２＋ｂＶ＋ｃで変化させたほうが良い近似（標準偏差の２乗が小さい）が得られることがあるので、そのときは２次関数を使って求めればよい。
【００６７】
いずれにしても、各多値データに対応する記録パルス長を個別に設定し直すことなく、記録線速度に応じて消去パワーＰｅ／記録パワーＰｗ比（Ｐｅ／Ｐｗ比）を変更するだけで所望の再生信号が得られる。
また、消去パワーＰｅを一定にして記録パワーＰｗを変化させた場合、逆に記録パワーＰｗを一定にして消去パワーＰｅを変化させた場合もＰｅ／Ｐｗ比が等しければ、ほぼ同等の結果が得られる。そのどちらを選択するかは、光ディスクの特性，光ディスクドライブの特性で判断すれば良い。
【００６８】
図６は、記録線速度２．５ｍ／ｓ，５．０ｍ／ｓ，Ｐｅ／Ｐｗ≒０．４７，０．５１で記録したときの多値データと再生信号レベルとの関係を示す図である。
同図に示すように、消去パワーＰｅ／記録パワーＰｗ比を最適化することによって、記録線速度によらずにほぼ等しい信号レベルが得られる。
上記１次関数：消去パワーＰｅ／記録パワーＰｗ比（Ｐｅ／Ｐｗ）＝ａＶ＋ｂのａ，ｂあるいは２次関数：消去パワーＰｅ／記録パワーＰｗ比（Ｐｅ／Ｐｗ）＝ａＶ２＋ｂＶ＋ｃのａ，ｂ，ｃを求めるには、まず、テスト記録領域において試し書きを行い、複数の記録線速度に対してそれぞれ消去パワーＰｅ／記録パワーＰｗ比の最適値を求める。
【００６９】
次に、得られた結果から１次及び２次の近似式を計算する。そのどちらの関係式を使うかは、１次及び２次近似した結果における標準偏差の２乗が小さいほうを選択する。各記録線速度におけるＰｅ／Ｐｗ最適値の求め方は、第１実施例の処理と同様の手順で行う。
ここでは、Σδ２を使って最適値を決定したが、試し書きデータにランダムデータを用いて再生結果から多値判定まで行い、その誤り率が最小になる消去パワーＰｅ／記録パワーＰｗ比を設定しても良い。この方法は時間がかかるがより正確に最適値を決定できる。
また、記録線速度に応じて消去パワーＰｅ／記録パワーＰｗ比を変化させることによって概ね等しい再生信号レベルが得られるため、線速度毎に多値判定しきい値，波形等化係数等を設定することなく多値データを判定できる。
【００７０】
（第３実施例）
上記ＣＰＵ１８における第３実施例の情報記録方法の処理は、消去パワーＰｅ／記録パワーＰｗ比は一定として、記録線速度に応じて記録パルス幅Ｔｏｎ及び冷却パルス幅Ｔｏｆｆを変化させることによって、多値データ“０”から“７”までの信号レベルがリニアになるように調整する。その結果を図７に示す。
図７は、消去パワーＰｅ／記録パワーＰｗ比を一定にして記録線速度に応じて記録パルス幅Ｔｏｎ及び冷却パルス幅Ｔｏｆｆを変化させて、多値データ“０”から“７”までの信号レベルがリニアになるように調整したときの説明に供する図である。
【００７１】
図７では、記録線速度５．０ｍ／ｓでの条件を基準にしている。
図７から、記録パルス幅ΔＴｏｎ又は冷却パルス幅ΔＴｏｆｆを記録線速度Ｖに対して１次関数：記録パルス幅ΔＴｏｎ（又は冷却パルス幅ΔＴｏｆｆ）＝ａＶ＋ｂにしたがって変化させれば、線速度によらずほぼ等しい多値信号レベルが得られることがわかる。
光ディスクの特性によっては、２次関数：記録パルス幅ΔＴｏｎ（又は冷却パルス幅ΔＴｏｆｆ）＝ａＶ２＋ｂＶ＋ｃで変化させたほうが良い近似（標準偏差の２乗が小さい）が得られることがあるので、そのときは２次関数を使って求めればよい。
【００７２】
いずれにしても、各多値データに対応する記録パルス長を個別に設定し直すことなく、記録線速度に応じて記録パルス幅ΔＴｏｎ又は冷却パルス幅ΔＴｏｆｆを所定量だけ一律に変更するだけで所望の再生信号が得られる。
上記１次関数のａ，ｂあるいは２次関数のａ，ｂ，ｃの求め方は、第２実施例の処理と同様にして求めればよい。
このようにして、記録線速度に応じて記録パルス幅ΔＴｏｎ（又は冷却パルス幅ΔＴｏｆｆ）を変化させることによって概ね等しい再生信号レベルが得られるので、線速度毎に多値判定しきい値，波形等化係数等を設定することなく多値データを判定することができる。
【００７３】
（第４実施例）
次に、光ディスクの製造ばらつき、光ディスクドライブ毎に光ディスク上に集光ビーム径及びビーム形状等が異なるため、光ディスクに予め記録されている記録条件（記録パワーＰｗと消去パワーＰｅとの比ε，記録パルス幅）では、十分な記録再生特性が得られない場合がある。
このような場合、多値データと対応する信号レベルとの線形性がくずれる、あるいは線形ではあるが、回帰直線からのずれが大きいために多値データ判別誤りが増加することになる。
【００７４】
図１１は、記録パワーＰｗと消去パワーＰｅとの比εを一定として記録パワーＰｗを変化させてテスト記録を行い、多値データと信号レベルとが略線形になったときの結果を示す図であり、前後の多値データがそれぞれ０のときの結果を示している。
このとき、多値データと信号レベルとは略線形になってはいるが、直線から乖離している多値データがある。これを補正するには、記録パワーＰｗの補正だけではできないので、記録パワーＰｗと消去パワーＰｅとの比ε、あるいは記録パルス幅による補正が必要になる。
上記ＣＰＵ１８における第４実施例の情報記録方法の処理は、まず、テスト記録によって略線形になる記録パワーＰｗを決定し、その結果が直線から著しく乖離している場合は、記録パワーＰｗと消去パワーＰｅとの比ε、あるいは記録パルス幅、または記録パワーＰｗと消去パワーＰｅとの比ε及び記録パルス幅によって補正し、信号レベルと回帰直線との乖離を小さくする情報記録方法の処理である。ここで、信号レベルが回帰直線とどの程度一致しているかを表す指標として、数１を用いる。
【００７５】
【数１】
2005011500.tif 000008
【００７６】
図１２乃至図１５は、図１８に示すＣＰＵ１８における第４実施例の情報記録方法の処理を示すフローチャート図である。
図１２に示すように、ＣＰＵ１８は、ステップ（図中「Ｓ」で示す）２１で光ディスクからテストパタンを記録するときの記録パワーＰｗの初期値と記録パワーＰｗと消去パワーＰｅとの比εからなる記録パラメータを読み込み、ステップ２２でテストパタンの記録条件として逐次変化させる記録パワーＰｗ（ｓ）の初期値Ｐｗ（０）と記録パワーＰｗと消去パワーＰｅとの比εをセットし、ステップ２３で最初は記録パワーＰｗ（０）と消去パワーＰｅとの比εを一定としてテストパタンを記録し、ステップ２４で上記記録したテストパタンを再生し、ステップ２５で上記再生した再生信号をサンプリングし、ステップ２６で上記サンプリングしたサンプリング結果に基づいてδｉ，ｊを算出し、ＲＡＭ１９に格納し、ステップ２７でΣ（δｉ，ｊ）２を算出し、ＲＡＭ１９に格納して、ステップ２８でｓ＜ｔ（ｔはテストパターンの記録の繰り返し回数）か否かを判断し、ｓ＜ｔでなければ、ステップ３３でｓ＝ｓ＋１にしてｓの値を１加算し、ステップ２３へ戻って記録パワーＰｗ（ｓ）を変化させて上述と同様に記録，再生，サンプリング，δｉ，ｊ及びΣ（δｉ，ｊ）２の算出と格納とを繰り返す。
【００７７】
こうして、記録パワーＰｗと消去パワーＰｅとの比を一定として、上記記録パワーＰｗ及び上記消去パワーＰｅとを逐次変化させてテストパタンを記録し、その記録したテストパタンを再生し、その再生信号をサンプリングし、そのサンプリング結果に基づいてδｉ，ｊ及びΣ（δｉ，ｊ）２の算出と格納とを繰り返し、ＲＡＭ１９内に表４に示すようにδｉ，ｊをまとめて格納し、そのδｉ，ｊの値に基づいて算出したΣ（δｉ，ｊ）２を同じくＲＡＭ１９に格納する。
【００７８】
ステップ２８でｓ＜ｔならば（ｓがｔのテストパターンの記録の繰り返し回数に達したら）、ステップ２９へ進んでＲＡＭ１９内のΣ（δｉ，ｊ）２に基づいてΣ（δｉ，ｊ）２の最小値を算出し、ステップ３０でΣ（δｉ，ｊ）２の最小値を最適記録パワーとして決定し、ステップ３１で最適記録パワーに決定したΣ（δｉ，ｊ）２が、所定値Ｘより小さいか否かを判断し、Σ（δｉ，ｊ）２＜所定値Ｘでなければ、図１４のステップ５１へ進み、Σ（δｉ，ｊ）２＜所定値Ｘなら、ステップ３２では最適記録パワーを記録パラメータとして格納（光ディスクに記録）し、この処理を終了する。
【００７９】
図１３に示すように、ＣＰＵ１８は、ステップ４１で前後の多値データが対称なテストパターン（テストデータ）を最適記録パワーで記録し、ステップ４２でそのテストパターンを再生し、ステップ４３でその再生した再生信号をサンプリングし、ステップ４４でそのサンプリング結果に基づいてδｉ，ｊを算出してＲＡＭ１９に格納し、ステップ４５でδｉ，ｊと数１を用いてΣ（δｉ，ｊ）２を算出し、ＲＡＭ１９に格納し、ステップ４６でΣ（δｉ，ｊ）２＜所定値Ｘか否かを判断し、Σ（δｉ，ｊ）２＜所定値Ｘなら、図１２のステップ３２へ戻り、ステップ３２で上記Σ（δｉ，ｊ）２を最適記録パワーとし、その最適記録パワーを記録パラメータとして格納（光ディスクに記録）し、この処理を終了する。
【００８０】
図１４に示すように、ＣＰＵ１８は冷却パルス幅Ｔｏｆｆで補正する場合、ステップ５１でｉ＝１，Ｊ＝０を設定し、ステップ５２でＲＡＭ１９からδｉ，ｊを読み出し、ステップ５３で−ｙ＜δｉ，ｊ＜ｙ（δｉ，ｊの値が所定値の範囲内にある）か否かを判断し、−ｙ＜δｉ，ｊ＜ｙなら、ステップ５４でｊ＝ｊ＋１とし、ステップ５５でｊ＞７か否かを判断し、ｊ＞７でなければ、ステップ５２へ戻り、ｊ＞７ならば、ステップ５６でｊ＝０とし、ステップ５７でｉ＝ｉ＋１とし、ステップ５８でｉ＞７か否かを判断し、ｉ＞７でなければ、ステップ５２へ戻り、ｉ＞７なら、図１３のステップ４１へ戻る。すなわち、ステップ５１〜５８の処理で６４個のδｉ，ｊについてステップ５３の判断を繰り返す。
【００８１】
ステップ５３の判断で−ｙ＜δｉ，ｊ＜ｙでなければ、ステップ５９でδｉ，ｊ＜０か否かを判断し、δｉ，ｊ＜０（δｉ，ｊが負の値）なら、ステップ６０でＴｏｆｆ（ｉ，ｊ）＝Ｔｏｆｆ（ｉ，ｊ）＋ΔＴｏｆｆとして冷却パルス幅をΔＴｏｆｆだけ長くし、ステップ６１で表３に示すルックアップテーブルを更新し、ステップ５４へ戻る。
ステップ５９の判断でδｉ，ｊ＜０ではない（δｉ，ｊが正の値）なら、Ｔｏｆｆ（ｉ，ｊ）＝Ｔｏｆｆ（ｉ，ｊ）−ΔＴｏｆｆとして冷却パルス幅をΔＴｏｆｆだけ短くし、ステップ６１で表３に示すルックアップテーブルを更新し、ステップ５４へ戻る。
【００８２】
上述の図１４に示す処理では、冷却パルス幅Ｔｏｆｆで補正する場合を示したが、記録パルス幅Ｔｏｎで補正する場合は、図１４のステップ６０とステップ６２の処理で冷却パルス幅Ｔｏｆｆ（ｉ，ｊ）およびΔＴｏｆｆを、それぞれ記録パルス幅Ｔｏｎ（ｉ，ｊ）およびΔＴｏｎに置きかえればよい。また、記録パワーＰｗと消去パワーＰｅとの比εで補正する場合は、図１５に示すフローチャートの処理に従う。
このようにして、表４に示すそれぞれのδｉ，ｊの値が、所定の範囲内に入るように記録パワーＰｗと消去パワーＰｅとの比εまたは冷却パルス幅Ｔｏｆｆ，あるいは記録パルス幅Ｔｏｎを補正する。
【００８３】
図１５に示すように、ＣＰＵ１８は、図１２に示したテストパタンの記録処理の次に、ステップ７１でテストパタンの記録条件として逐次変化させる消去パワーＰｅ（ｓ）の初期値Ｐｅ（０）と記録パワーＰｗをセットし、ステップ７２で最初は消去パワーＰｗ（０）と記録パワーＰｗでテストパタンを記録し、ステップ７３で上記記録したテストパタンを再生し、ステップ７４で上記再生した再生信号をサンプリングし、ステップ７５で上記サンプリングしたサンプリング結果に基づいてδｉ，ｊを算出し、ＲＡＭ１９に格納し、ステップ７６でΣ（δｉ，ｊ）２を算出し、ＲＡＭ１９に格納して、ステップ７７でｓ＜ｔ（ｔはテストパターンの記録の繰り返し回数）か否かを判断し、ｓ＜ｔでなければ、ステップ８１でｓ＝ｓ＋１にしてｓの値を１加算し、ステップ７２へ戻って消去パワーＰｅ（ｓ）を変化させて上述と同様に記録，再生，サンプリング，δｉ，ｊ及びΣ（δｉ，ｊ）２の算出と格納とを繰り返す。
【００８４】
こうして、記録パワーＰｗを一定として、上記消去パワーＰｅを逐次変化させてテストパタンを記録し、その記録したテストパタンを再生し、その再生信号をサンプリングし、そのサンプリング結果に基づいてδｉ，ｊ及びΣ（δｉ，ｊ）２の算出と格納とを繰り返し、ＲＡＭ１９内に表４に示すようにδｉ，ｊをまとめて格納し、そのδｉ，ｊの値に基づいて算出したΣ（δｉ，ｊ）２を同じくＲＡＭ１９に格納する。
【００８５】
ステップ７７でｓ＜ｔでなければ（ｓがｔのテストパターンの記録の繰り返し回数に達したら）、ステップ７８へ進んでＲＡＭ１９内のΣ（δｉ，ｊ）２に基づいてΣ（δｉ，ｊ）２の最小値を算出し、ステップ７９でΣ（δｉ，ｊ）２の最小値を最適消去パワーＰｅとして決定し、ステップ８０で最適消去パワーに決定したΣ（δｉ，ｊ）２が、所定値Ｘより小さいか否かを判断し、Σ（δｉ，ｊ）２＜所定値Ｘでなければ、図１４のステップ７１へ戻り、Σ（δｉ，ｊ）２＜所定値Ｘなら、図１２のステップ３２へ戻り、ステップ３２では最適消去パワーを記録パラメータとして格納（光ディスクに記録）し、この処理を終了する。
【００８６】
次に、前後対称なテストパタン以外のストラテジ設定方法について説明する。
表３はストラテジルックアップテーブルを示す表である。
表３において、ｙは記録（対象）多値データ、ｘは多値データｙの前セルに記録される多値データ、ｚは多値データｙの後セルに記録される多値データである。
テストパターン記録において、テストパタン（ｘ，ｙ，ｘ）の記録パルス幅が設定される。
しかし、実際に記録する多値データ列は、テストパタン（ｘ，ｙ，ｚ）も含まれるから、このようなテストパタンについても、記録パルス幅を設定する必要がある。ここで、６４通りのテストパタン記録結果を用いて、以下に説明する方法で５１２通りのテストパタンの記録パルス幅を設定した。
【００８７】
【表３】
2005011500.tif 000009
【００８８】
【表４】
2005011500.tif 000010
【００８９】
符号間干渉が線形である場合、例えば、テストパタン（４，２，４）と，テストパタン（３，２，５），テストパタン（５，２，３），テストパタン（７，２，１）における多値データ２の信号レベルは、理想的にはそれぞれ等しくなる。
すなわち、前セルに記録される多値データと後セルに記録される多値データとの和が等しい多値データの信号レベルは、理想的には等しくなる。
したがって、テストパタン記録で求めたテストパタン（４，２，４）の記録パルス幅の設定値をテストパタン（３，２，５），テストパタン（５，２，３），テストパタン（７，２，１）に、それぞれ適応することができる。
【００９０】
一方、前多値データと後多値データとの和が奇数の場合、例えばテストパタン（７，２，２）は、該当するテストパタンをテストパタン記録していない。
この場合は、これに近いテストパタン（４，２，４）あるいテストパタン（５，２，５）の記録パルス幅を適応すればよい。
記録材料の特性に依存することであるが、本第４実施例で使用した相変化型光ディスクにおいては、前後データに大きい多値データがあるテストパタンでは、記録パルス幅（図３におけるＴｂ−Ｔａ）が長くなる。そこで、記録時の熱干渉を考慮して、記録パルス幅が小さいテストパタン（４，２，４）を選択するようにした。      
【００９１】
図１６は、オーバーライト回数とσ／ＤＲとの関係を示すグラフの図である。
相変化型光ディスクは、図１６に示すようなオーバーライト特性を持っている。
図１６からわかるように、初回記録および１回目のオーバーライトにおいて、σ／ＤＲの変化が大きく、オーバーライト２回目以降はσ／ＤＲが安定する。
そこで，記録条件を求める際は、オーバーライトを２回以上行い、記録特性が安定してからテストパタン記録を行うことが好ましい。
【００９２】
上述したように、光ディスクドライブによって集光スポット径，スポット形状，レーザ発光の立ち上がりおよび立ち下り時間等に差があるために、たとえ同じ光ディスクに記録する場合でも、光ディスクドライブによって最適記録条件は異なる。そこで、実際どの程度の差があるのかを３種類の光ディスクドライブＡ，Ｂ，Ｃを比較した結果について説明する。
【００９３】
データの記録再生には、波長４０５ｎｍ，対物レンズのＮＡ０．６５の光ディスクドライブを用いた。
記録再生線速度は６．０ｍ／ｓ，記録クロック周期Ｔ＝２．７８ｎｓ，１セルの周方向の長さは０．２４μｍ（＝１６Ｔ）であり、記録パワーＰｗ＝８．０ｍＷ，消去パワーＰｅ＝４．９ｍＷ，バイアスパワーＰｂ＝０．１ｍＷである。
【００９４】
光ディスクドライブＡを用いて記録パラメータを設定し、この記録パラメータを用いて、同一の光ディスクドライブＢおよび光ディスクドライブＣで記録した場合のσ／ＤＲ（表５の補正前σ／ＤＲ）と、それぞれの光ディスクドライブにおいて記録条件を最適化した場合のσ／ＤＲ（表５の補正後σ／ＤＲ）を表５に示す。
光ディスクドライブＡを用いて設定した記録条件で記録した場合は、光ディスクドライブの機差によってσ／ＤＲに差がある。
しかし、前に説明した方法によって、それぞれの光ディスクドライブで記録条件を最適化すれば、表５に示すように、光ディスクドライブによらず同等の記録特性が得られることを確認した。
【００９５】
【表５】
2005011500.tif 000011
【００９６】
上記実施例のこの発明の請求項１に係る情報記録方法，請求項２３に係る情報記録装置においては、試し書きによって最適記録パワー及び最適消去パワーを求めてから本番の記録を行うので、光ディスク，記録装置の個体差，環境条件の変化等の影響を受けることなく、情報記録を安定して行える。
また、上記実施例のこの発明の請求項２に係る情報記録方法，請求項２４に係る情報記録装置においては、試し書きによって記録パワーＰｅ／消去パワーＰｗ比を求めてから本番の記録を行うので、光ディスク，情報記録装置の個体差，環境条件の変化等の影響を受けることなく、情報記録を安定して行える。
【００９７】
さらに、上記実施例のこの発明の請求項３，４に係る情報記録方法，請求項２５，２６に係る情報記録装置においては、試し書きによって最適Ｔｏｆｆ＿ｍを求めてから本番の記録を行うので、光ディスク，情報記録装置の個体差，環境条件の変化等の影響を受けることなく、情報記録を安定して行える。
また、上記実施例のこの発明の請求項５に係る情報記録方法，請求項２７に係る情報記録装置においては、それぞれの線速度において等しい再生信号レベルが得られる最適記録パワーＰｗ及び最適消去パワーＰｅを求めてから情報を記録するので、線速度毎に多値判定閾値，波形等化係数等のパラメータを設定することなく多値データを判定することができる。
【００９８】
さらに、上記実施例のこの発明の請求項６に係る情報記録方法，請求項２８に係る情報記録装置においては、それぞれの線速度において等しい再生信号レベルが得られる最適Ｔｏｆｆ＿ｍ又は最適Ｔｏｎ＿ｍを求めてから記録するので、線速度毎に多値判定閾値，波形等化係数等を設定することなく多値データを判定することができる。
また、上記実施例のこの発明の請求項７，８に係る情報記録方法，請求項２９，３０に係る情報記録装置においては、試し書きの結果を使って記録線速度と最適記録条件との関係式を求め、記録線速度に応じて関係式にしたがって記録条件を変化させて記録するので、ディスク全面にわたって均一にマークを形成することができる。したがって、それぞれの記録線速度においてほぼ等しい再生信号レベルが得られる。
【００９９】
さらに、上記実施例のこの発明の請求項９に係る情報記録方法においては、，請求項３１に係る情報記録装置テストパタンに前後対称な多値データパタンＭ２通りを含んでいるので、符号間干渉を含む場合における多値データに対する再生信号レベルの線形性についてもチェックすることができる。
さらにまた、上記実施例のこの発明の請求項１０に係る情報記録方法，請求項３２に係る情報記録装置においては、Σδ２を使って最適記録条件を決定しているので、短時間で最適記録条件を決定することができる。
【０１００】
また、上記実施例のこの発明の請求項１１〜１６に係る情報記録方法，請求項３３〜３８に係る情報記録装置においては、テスト記録によって多値データと信号レベルとの回帰直線からのずれを小さくするので、光ディスク，記録装置の個体差，環境条件の変化等の影響を受けることなく、安定した記録ができる。
さらに、上記実施例のこの発明の請求項１７，１８に係る情報記録方法，請求項３９，４０に係る情報記録装置においては、テスト記録を行っていない多値データパタンの記録条件を、前後多値データの和から決定するようにしているので、６４通りの多値データパタンのテスト記録結果から、５１２通りの多値データパタンの記録条件を決定できる。
【０１０１】
また、上記実施例のこの発明の請求項１９に係る情報記録方法，請求項４１に係る情報記録装置においては、テスト記録で決定した記録条件を情報記録装置に記憶し、つぎに記録する際は、その記録条件を初期値としてテスト記録を行うようにしたので、テスト記録に要する時間を短縮することができる。
さらに、上記実施例のこの発明の請求項２０に係る情報記録方法，請求項４２に係る情報記録装置においては、記録媒体として相変化型光ディスクを用いているので、多値記録に必要な微細な記録マークを形成できる。
また、上記実施例のこの発明の請求項２１に係る情報記録方法，請求項４３に係る情報記録装置においては、２回以上オーバーライトしてからテスト記録を行うので、信頼できるテスト記録を行うことができる。
さらに、上記実施例のこの発明の請求項２２に係る情報記録方法，請求項４４に係る情報記録装置においては、光ディスクに記録パラメータを予め記録し、その記録パラメータに基づく条件を初期値としてテスト記録を行うようにしたので、テスト記録に要する時間を短縮することができる。
【産業上の利用可能性】
【０１０２】
この発明による情報記録方法と情報記録装置は、デスクトップパソコン，ノートブックパソコン等のパーソナルコンピュータにおいても適用することができる。
【図面の簡単な説明】
【０１０３】
【図１】この発明の第１実施例の情報記録方法の処理における試し書きによる記録条件決定方法の処理を示すフローチャート図である。
【図２】第１実施例の情報記録方法の処理における多値データと規格化ＲＦレベルとの関係を示す図である。
【図３】多値データ“２”の記録パルス波形を示す図である。
【図４】消去パワーＰｅ／記録パワーＰｗ比を変化させてテストパタンを記録したときのΣδ２の変化を示す図である。
【図５】記録線速度を２．５ｍ／ｓから５．０ｍ／ｓまで変化させてテストパタンを記録したとき、Σδ２が最小になるＰｅ／Ｐｗ比の値をプロットした線図である。
【０１０４】
【図６】記録線速度２．５ｍ／ｓ，５．０ｍ／ｓ，Ｐｅ／Ｐｗ≒０．４７，０．５１で記録したときの多値データと再生信号レベルとの関係を示す図である。
【図７】Ｐｅ／Ｐｗ比を一定にして記録線速度に応じて記録パルス幅及び冷却パルス幅を変化させて、多値データ０から７までの信号レベルがリニアになるように調整したときの説明に供する図である。
【図８】本発明の情報記録方法に適用する多値記録方式の説明に供する図である。
【図９】同じく本発明の情報記録方法に適用する多値記録方式の説明に供する図である。
【図１０】同じく本発明の情報記録方法に適用する多値記録方式の説明に供する図である。
【０１０５】
【図１１】記録パワーＰｗと消去パワーＰｅとの比εを一定として記録パワーＰｗを変化させてテスト記録し、多値データと信号レベルとが略線形になったときの結果を示す図である。
【図１２】図１８に示すＣＰＵ１８における第４実施例の情報記録方法の処理を示すフローチャート図である。
【図１３】図１２の続きの処理を示すフローチャート図である。
【図１４】図１３の続きの処理を示すフローチャート図である。
【図１５】図１２の続きの処理を示すフローチャート図である。
【０１０６】
【図１６】オーバーライト回数とσ／ＤＲとの関係を示すグラフの図である。
【図１７】図１８に示す光ディスクドライブを備えた情報処理装置の構成の概略を示すブロック図である。
【図１８】この発明の情報記録装置の一実施形態である光ディスクドライブの主要部の構成を示す機能ブロック図である。
【符号の説明】
【０１０７】
１：光ディスク    ２：スピンドルモータ    ３：光ピックアップ    ４：モータドライバ    ５：リードアンプ    ６：サーボ回路    ７：ＤＶＤデコーダ    ８：ＡＤＩＰデコーダ    ９：レーザコントローラ    １０：ＤＶＤエンコーダ    １１：ＤＶＤ−ＲＯＭエンコーダ    １２：バッファＲＡＭ    １３：バッファマネージャ    １４：ＤＶＤ−ＲＯＭデコーダ    １５：ＡＴＡＰＩ／ＳＣＳＩインタフェース（Ｉ／Ｆ）    １６：Ｄ／Ａコンバータ    １７：ＲＯＭ    １８：ＣＰＵ    １９：ＲＡＭ    ２０：光ディスクドライブ    ２１：主制御装置    ２２：インタフェース    ２３：記録装置    ２４：入力装置    ２５：表示装置 
【図１】
2005011500.tif 000026
【図２】
2005011500.tif 000027
【図３】
2005011500.tif 000028
【図４】
2005011500.tif 000029
【図５】
2005011500.tif 000030
【図６】
2005011500.tif 000031
【図７】
2005011500.tif 000032
【図８】
2005011500.tif 000033
【図９】
2005011500.tif 000034
【図１０】
2005011500.tif 000035
【図１１】
2005011500.tif 000036
【図１２】
2005011500.tif 000037
【図１３】
2005011500.tif 000038
【図１４】
2005011500.tif 000039
【図１５】
2005011500.tif 000040
【図１６】
2005011500.tif 000041
【図１７】
2005011500.tif 000042
【図１８】
2005011500.tif 000043